(57)【要約】  本発明は、睫毛または眉に組成物（Ｐ）を塗布するためのパッケージおよびアプリケータデバイス（１）であって、  組成物を含む容器（２）と、  ブラシ（５）とを備え、前記ブラシが、    直線の長手方向軸に沿って延びる芯と、    芯に接続される剛毛とを備え、前記剛毛の自由端が包絡面を画定し、ブラシが、横断面が長手方向軸に沿って変化し、かつその軸端部からゼロを含まない距離をおいて断面の少なくとも１つの最大値または最小値を通過する変化部分を有し、  前記包絡面が、前記変化部分に沿った平面を含まず、平面でなく前記芯の前記長手方向軸に平行でない少なくとも１つの切子面（２０）を画定し、前記切子面が、決して直線ではなく、前記芯を通過する平面に含まれる少なくとも１つの縁部により画定され、前記縁部が、前記変化部分の横断面がまた前記断面の最大値を通過するときはいつでも最大値を通過する前記芯の前記長手方向軸までの距離を呈し、前記変化部分の横断面がまた前記断面の最小値を通過するときはいつでも最小値を通過する前記芯の前記長手方向軸までの距離を呈するデバイスに関する。
2014510604.tif 000002
【特許請求の範囲】
【請求項１】
睫毛または眉に組成物（Ｐ）を塗布するためのパッケージおよびアプリケータデバイス（１）であって、
前記組成物を含む容器（２）と、
ブラシ（５）と、を備え、前記ブラシが、
直線の長手方向軸に沿って延びる芯（１１）と、
前記芯（１１）に接続される剛毛（３２）と、を備え、
前記剛毛の自由端が包絡面（Ｅ）を画定し、
前記ブラシは変化部分を有し、前記変化部分は、横断面が前記長手方向軸に沿って変化し、かつその軸端部からゼロを含まない距離で断面の少なくとも１つの最大値または最小値を通過し、
前記包絡面（Ｅ）は、前記変化部分に沿った平面を含まず、平面でなく前記芯の前記長手方向軸（Ｙ）に平行でない少なくとも１つの切子面（２０）を画定し、前記切子面が、決して直線ではなく、前記芯を通過する平面（Ｋ）に含まれる少なくとも１つの縁部（２４）により画定され、
前記縁部（２４）は、前記変化部分の前記横断面がまた前記断面の最大値を通過するときはいつでも最大値を通過する前記芯の前記長手方向軸までの距離を呈し、前記変化部分の前記横断面がまた前記断面の最小値を通過するときはいつでも最小値を通過する前記芯の前記長手方向軸までの距離を呈する、デバイス。
【請求項２】
距離ｄｍａｘがブラシ全体について最大である横断面において、｜ｄｍａｘ−ｄｍｉｎ｜／ｄｍｉｎ≦３であり、ｄｍａｘが、前記包絡面（Ｅ）から前記長手方向軸（Ｙ）までの最長距離を指定し、ｄｍｉｎが、前記包絡面（Ｅ）から前記長手方向軸（Ｙ）までの最短距離を指定する、請求項１に記載のデバイス。
【請求項３】
前記距離ｄｍｉｎが、前記ブラシの前記包絡面の前記横断面が最大である点で、３．５ｍｍ以上である、請求項２に記載のデバイス。
【請求項４】
前記ブラシの前記包絡面（Ｅ）の前記横断面が最大である点で、前記距離ｄｍａｘが５ｍｍ以上である、請求項２に記載のデバイス。
【請求項５】
前記包絡面（Ｅ）が、前記芯の前記長手方向軸の周りで軸対称を呈し、かつ／または、すべての前記切子面（２０）が同一形状である、請求項１から４のいずれか一項に記載のデバイス。
【請求項６】
少なくとも１つの切子面（２０）が、前記芯の前記長手方向軸（Ｙ）に垂直な少なくとも１つの観察方向で前記ブラシを見たときに、凹である外形を呈する、請求項１から５のいずれか一項に記載のデバイス。
【請求項７】
横断面において、前記切子面（２０）が、直線、凹、または凸である外形を呈する、請求項１から６のいずれか一項に記載のデバイス。
【請求項８】
所与の横断面において、２つの隣接する切子面（２０）が連続している、請求項１から７のいずれか一項に記載のデバイス。
【請求項９】
所与の横断面において、２つの隣接する切子面（２０）が、互いにゼロでない距離をおいて位置する、請求項１から７のいずれか一項に記載のデバイス。
【請求項１０】
前記芯（１１）がねじれている、請求項１から９のいずれか一項に記載のデバイス。
【請求項１１】
前記包絡面（Ｅ）の前記横断面が、剛毛を担持する前記芯の部分（１１ｂ）に沿った経路の１／３〜２／３で極値、好ましくは最大値を通過する、請求項１から１０のいずれか一項に記載のデバイス。
【請求項１２】
前記ブラシが、角柱形状の遠位包絡面部（５ｂ）と近位包絡面部（５ｃ）とを有する、請求項１から１１のいずれか一項に記載のデバイス。
【請求項１３】
前記切子面（２０）が、前記剛毛を担持する部分（１１ｂ）の遠位端および／または近位端まで軸方向に延びる、請求項１から１２のいずれか一項に記載のデバイス。
【請求項１４】
長手方向軸（Ｙ）に沿って延びる芯（１１）と、
前記芯の部分（１１ｂ）により保持される剛毛（３２）と、を備えているマラカスブラシ（５）において、
前記剛毛の自由端が包絡面（Ｅ）を画定し、
前記マラカスブラシは、一定でない横断面であって、前記部分（１１ｂ）の軸方向端部（１３ａ、１３ｂ）からゼロでない距離をおいて少なくとも１つの極値を通過する横断面を、前記部分（１１ｂ）の全長（Ｌｍａｘ）の少なくとも半分にわたって有し、
前記長手方向軸が必要であれば観察の目的で直線にされる場合、前記マラカスブラシは、前記芯の前記長手方向軸の周りに少なくとも３つの切子面（２０）を画定し、そのうちの少なくとも２つが平面ではなく、同一の形状で、前記芯の前記長手方向軸（Ｙ）に平行ではなく、
前記切子面が互いにある距離をおいて位置する場合、前記包絡面（Ｅ）の少なくとも１つの平面でない長手方向のストリップ（２１）は、２つの隣接する切子面（２０）間で延びており、または、
前記切子面が連続している場合、長手方向の縁部（２４）は２つの切子面の接合部に形成され、
前記ストリップ（２１）または前記縁部（２４）が、前記芯の前記長手方向軸（Ｙ）に沿って変化する、前記芯（１１）の前記長手方向軸（Ｙ）までの距離（ｄｍａｘ）を呈する、マスカラブラシ（５）。
【発明の詳細な説明】
【技術分野】
【０００１】
本発明は、化粧品組成物を睫毛または眉に塗布するためのアプリケータであって、マスカラブラシとしても知られるアプリケータに関する。
【背景技術】
【０００２】
マスカラブラシは、睫毛が塊になることなく、睫毛に組成物を塗布することが可能でなければならない。このため、ブラシは、睫毛を分離させることも可能でなければならない。
【０００３】
良好である塗布特性と分離特性との両方を得る目的で、様々な形状を有するブラシが市販されている。
【０００４】
特に、特許文献１に記載されたような、ブラシブランクに機械加工された切子面（ｆａｃｅｔ）を有するブラシが公知である。切子面があることにより、ワイパ部材を通過した後に、組成物をブラシ上に不均一に分布させることが可能となり、一部の領域がより多くの組成物を担持することによって睫毛への塗布により適応したものとなり、他の領域がより少ない組成物を担持することによって睫毛の分離により適応したものとなる。
【０００５】
ある公知のブラシは、横断面内において、剛毛間で長さにかなりの差を呈する。このため、使用時に、過剰な組成物が蓄積し、またブラシおよび／またはワイパ部材が平坦化してしまう。
【先行技術文献】
【特許文献】
【０００６】
【特許文献１】欧州特許出願第１３６９０５６Ａ１号明細書
【特許文献２】米国特許出願第２００８／０１０７４７０号明細書
【特許文献３】米国特許出願第２００９／００２８６２７号明細書
【特許文献４】米国特許出願第２００９／００５２９６９号明細書
【特許文献５】米国特許出願第２０１１／００３０７１８Ａ１号明細書
【特許文献６】米国特許第７１２５１８８号明細書
【発明の概要】
【発明が解決しようとする課題】
【０００７】
マスカラブラシを改良し、さらには、特に、ブラシの分離能力とその塗布能力との間の満足な良好な折り合いを得る必要がある。加えて、ブラシをより容易に製造できるようにすべきであり、特別な注意なしでユーザが使用できるようにすべきである。前述した平坦化の問題が少なくなるか、さらには問題がなくなることが好ましい。
【課題を解決するための手段】
【０００８】
本発明の例示的な実施形態は、睫毛または眉に組成物を塗布するためのパッケージおよびアプリケータデバイスであって、
前記組成物を含む容器と、
ブラシと、を備え、前記ブラシが
長手方向軸に沿って延びる直線の芯と、
前記芯に接続される剛毛と、を備え、前記剛毛の自由端が包絡面（ｅｎｖｅｌｏｐｅ  ｓｕｒｆａｃｅ）を画定し、前記ブラシが横断面の変化部分を有し、前記横断面の変化部分は前記長手方向軸に沿って変化し、かつその軸端部からゼロを含まない距離をおいて少なくとも１つの極値を通過し、
前記包絡面が、前記変化部分に沿った平面を含まず、平面でなく前記芯の前記長手方向軸に平行でない少なくとも１つの切子面を画定し、前記切子面が、決して直線ではなく、前記芯を通過する平面に含まれる少なくとも１つの縁部により画定され、前記縁部が、前記変化部分の横断面がまた最大値を通過するときはいつでも最大値を通過する前記芯の前記長手方向軸までの距離を呈し、前記変化部分の横断面がまた最小値を通過するときはいつでも最小値を通過する前記芯の前記長手方向軸までの距離を呈する、デバイスを提供する。
【０００９】
本発明により、前述した必要性を満たすことができる。ブラシの形状によって、拭い取りを向上させることができる。
【００１０】
本発明の例示的な実施形態では、ブラシが、芯の長手方向軸の周りに少なくとも３つの切子面を画定し、そのうちの少なくとも２つが平面ではなく、同一の形状で、長手方向軸に平行ではない。
【００１１】
前記切子面が互いにある距離をおいて位置する場合、包絡面の少なくとも１つの長手方向ストリップは２つの隣接する切子面間で延びることができ、または、前記切子面が連続している場合、１つの長手方向縁部を２つの切子面の接合部に形成することができる。ストリップまたは縁部は、芯の軸に沿って変化する、芯の軸までの距離を呈する。長手方向のストリップは、存在する場合、その軸方向端部間に平面でない形状を呈する。
【００１２】
芯に沿った点における包絡面の「芯までの距離」という用語は、前記点を通過するブラシの包絡面の横断面内における芯までの最短距離を意味することを理解すべきである。前記最短距離は、大きさｄｍｉｎで指定される。加えて、ｄｍａｘは、同一の横断面内における包絡面から芯の長手方向軸までの最長距離を指定する。
【００１３】
各切子面は、変化部分に沿って変化する、芯までの距離を有する。
【００１４】
変化は極値を含む。
【００１５】
切子面の中央面を構成する面であって、芯の長手方向軸を含む面において、切子面に対する接線が、切子面に沿って変化する傾斜を有する。好ましくは、切子面の長さの少なくとも一部にわたって、芯の長手方向軸に対して接線により形成された傾斜が単調に変化する。たとえば、傾斜が連続して減少し、ゼロを通過し、その後、連続して増加する。例として、傾斜は、包絡面の横断面が最大または最小である点で、たとえばブラシの剛毛部に沿ったほぼ中間で、ゼロになる。
【００１６】
ブラシは、芯の長手方向軸に対して一定の角度にある軸の周りに円筒形の切子面を有する必要はない。ブラシは、芯の長手方向軸に平行な直線の縁部を有する必要はない。
【００１７】
長手方向のストリップの中央面を構成し、かつ芯の軸を含む面において、２つの隣接する切子面間に延びる長手方向のストリップに対する接線が、長手方向のストリップに沿って同様に変化する傾斜、たとえば、長手方向のストリップの一端部から他端部へ増加した後に減少する傾斜、または減少した後に増加する傾斜を有することができる。
【００１８】
好ましくは、距離ｄｍａｘがブラシ全体に対して最大であるブラシの横断面において、｜ｄｍａｘ−ｄｍｉｎ｜／ｄｍｉｎ≦３である。したがって、ブラシは、単一の横断面内の剛毛の長さの相対的な差がごく大きなものになることなく、異なる特性を有する領域を呈し、これにより、短すぎるために睫毛に過剰な組成物を塗布する剛毛を含む領域を有することがより容易に回避され、このような剛毛は、化粧品の塗布動作をより困難にし、かつ／またはブラシおよび／またはワイパ部材が平坦化する問題を生じさせ得るものである。
【００１９】
好ましくは、すべての切子面が同一形状であり、長手方向軸の周りでブラシを回転させるときに、切子面に対応する包絡面の部分が、同一形状の別の切子面に対応する包絡面の部分に重なる。
【００２０】
距離ｄｍｉｎは、ブラシの横断面が最大である点で、たとえば、全体が卵型のブラシの場合にブラシの剛毛部に沿ったほぼ中間で、３．５ｍｍ以上とすることができる。距離ｄｍａｘは、ブラシの横断面が最大である点で、５ｍｍ以上または１４ｍｍ以上とすることができる。
【００２１】
包絡面は、芯の長手方向軸の周りで軸対称を呈することができる。
【００２２】
少なくとも１つの切子面が、芯の長手方向軸に垂直な少なくとも１つの観察方向でブラシを見たときに、凹または凸である外形を呈することができる。すべての切子面が好ましくは非平面である。また、好ましくは、ブラシを長手方向軸に垂直に見たときに、切子面が、変曲点および波形なしの凸または凹である。
【００２３】
横断面において、切子面は、直線、凹、または凸である外形を呈することができる。
【００２４】
２つの隣接する切子面は、所与の横断面において連続し得る。変形形態では、２つの隣接する切子面は、所与の横断面において互いにゼロでない距離をおいて位置し得るため、上で定義したように長手方向のストリップにより分離される。適切であれば、長手方向のストリップが、ブラシの長さの少なくとも一部にわたってゼロ幅であり得るため、切子面が局所的に接触する。
【００２５】
芯をねじることができ、特に、右ねじりまたは左ねじりとすることができる。
【００２６】
剛毛の直径は、６／１００ｍｍ〜３５／１００ｍｍの範囲にあり得る。芯の撚糸の直径は、０．３５ｍｍ〜１．５ｍｍの範囲にあり得る。
【００２７】
包絡面の横断面は、剛毛を担持する芯の部分に沿った経路の１／３〜２／３の間で極値、好ましくは最大値を通過することができる。
【００２８】
変化部分は、剛毛を担持する芯の部分の全長にわたって延びることができる。変形形態では、変化部分が、剛毛を担持する芯の部分の一部のみにわたって延びる。ブラシは、角柱形状の遠位包絡面部と近位包絡面部とを有してもよく、たとえば遠位部が近位部よりも長い。変化部分は、近位部と遠位部との間に位置し得る。
【００２９】
切子面は、剛毛を担持する前記部分の遠位端および／または近位端まで軸方向に延びることができる。変形形態では、ブラシが、前記切子面を担持する中間部と、それぞれの切子面を有する近位部および遠位部とを呈し、これらの切子面が、たとえば平面であって芯の長手方向軸に対して斜めに向けられ、好ましくは中間部の切子面を延長させるように位置する。
【００３０】
容器にワイパ部材が装着されることが有利である。
【００３１】
また、本発明は、化粧品を睫毛または眉に塗布する方法であって、本発明のデバイスにより組成物が睫毛または眉に塗布される方法を提供する。
【００３２】
前記ブラシが芯のねじれたブラシである場合、前記ブラシを製造するために、円筒形のブランクから開始して、次いでこのブランクを、直線でない長手方向外形を有する円対称の形状にするように機械加工することができる。この段階では、したがって、ブラシの包絡面が、たとえば、アメリカンフットボール、砂時計、魚、またはピーナッツの形状である。その後、切子面が切り整えられる。ブラシを機械加工することにより、円筒形ブランクから最終形状に直接進むこともできる。
【００３３】
非限定的な実施形態についての以下の詳細な説明を読み、添付図面を確認することにより、本発明をよりよく理解できるだろう。
【図面の簡単な説明】
【００３４】
【図１】本発明により製造されたパッケージおよびアプリケータデバイスの一例の縦断面図である。
【図２】図１のアプリケータのブラシを分離して示す図である。
【図３】図２の方向ＩＩＩに沿って見た端面図である。
【図４】包絡面の横寸法が最大値である面における、ブラシの横断面図である。
【図５】ブラシの変形実施形態の、図２と同様の図である。
【図６】図５の方向ＶＩに沿って見た端面図である。
【図７】ブラシの変形実施形態の、図２と同様の図である。
【図８】図７の方向ＶＩＩＩに沿って見た端面図である。
【図９】ブラシの変形実施形態の、図２と同様の図である。
【図１０】図９の方向Ｘに沿って見た端面図である。
【図１１】ブラシの変形実施形態の、図２と同様の図である。
【図１２】図１１の方向ＸＩＩに沿って見た端面図である。
【図１３】ブラシの変形実施形態の、図２と同様の図である。
【図１４】図１３の方向ＸＩＶに沿って見た端面図である。
【図１５Ａ】ブランクおよび機械加工後に得られたブラシの包絡面を変形実施形態について示す横断面図である。
【図１５Ｂ】ブランクおよび機械加工後に得られたブラシの包絡面を変形実施形態について示す横断面図である。
【図１５Ｃ】ブランクおよび機械加工後に得られたブラシの包絡面を変形実施形態について示す横断面図である。
【図１６Ａ】ブラシの変形実施形態の包絡面の縦断面図である。
【図１６Ｂ】ブラシの変形実施形態の包絡面の縦断面図である。
【図１６Ｃ】ブラシの変形実施形態の包絡面の縦断面図である。
【図１７】ブラシの変形実施形態の、図２と同様の図である。
【図１８】芯が、ステムの出口でステムの長手方向軸と角度を形成する可能性を示す図である。
【図１９】容器の変形実施形態を示す図である。
【発明を実施するための形態】
【００３５】
図１に示すパッケージおよびアプリケータデバイス１は、塗布用の組成物Ｐを含む容器２と、長手方向軸Ｘのステム４を有するアプリケータ３とを備え、アプリケータ３の一端部にはブラシ５が設けられ、他端部には、容器２を閉じるための閉鎖キャップも構成するハンドル６が設けられる。
【００３６】
組成物Ｐは、睫毛および／または眉に塗布されるものである。組成物Ｐは、酸化鉄と、とりわけ顔料と、水性または有機溶剤とを、配合に応じて含むことができる。
【００３７】
容器２は、ネック７が設けられた本体２ｂを備え、ネック７には、容器から取り外されるときにステム４を拭うように構成されたリップ９を呈するワイパ部材８が係合する。例として、リップ９は、円形断面のオリフィスであって、ステム４の直径よりもわずかに大きい直径を有するオリフィスを画定する。図示したように、ステムは、その遠位端に、内部にブラシ５が固定される弾性変形可能な中間要素１０を備えることができ、中間要素１０自体は、ステムの剛性部分のハウジングに係合される。例として、中間要素１０は、米国特許出願第２００８／０１０７４７０号に記載されたようなものとすることができる。
【００３８】
ワイパ部材８はどのような種類のものでもよく、特に、従来のもの、または米国特許出願第２００９／００２８６２７号もしくは米国特許出願第２００９／００５２９６９号に記載されたものとすることができる。
【００３９】
図２は、ブラシ５を分離して示す図である。
【００４０】
ブラシ５は、ステム４の長手方向軸に一致する直線長手方向軸Ｙに沿って延びる芯１１を備える。
【００４１】
芯１１は、好ましくは２本の金属撚糸により構成され、これらの撚糸はともにねじられて、包絡面（ｅｎｖｅｌｏｐｅ  ｓｕｒｆａｃｅ）Ｅを画定する自由端を有する剛毛を捕捉する。
【００４２】
例として、芯１１は、ワイヤをＵ字形に折り曲げ、剛毛が撚糸間に挿入された後に前記ワイヤをその軸の周りでねじることにより形成される。芯１１は、剛毛を含まない近位部１１ａと、剛毛を担持する直線の長手方向軸の剛毛部１１ｂとを呈する。ブラシ５の剛毛３２の端部は、芯１１の巻き間で取ると、図４に示すような包絡面Ｅを画定する。部分１１ａは、図示したようにおそらくは中間要素１０が設けられた、ステム４のハウジング内に受けられる。
【００４３】
剛毛部１１ｂは、芯１１の長手方向軸に沿って測定された全長Ｌｍａｘを有する。
【００４４】
図２の実施形態では、ブラシの変化部分が、芯の剛毛部１１ｂ全体にわたって延びる。
【００４５】
包絡面Ｅが呈する横断面は、剛毛部に沿って変化し、かつその長さに沿った少なくとも１つの点で、剛毛部の遠位端１３ａおよび近位端１３ｂからゼロでない距離をおいて位置する少なくとも１つの極値を通過する。
【００４６】
図４に示すように包絡面Ｅが最大である点で、包絡面Ｅの最大横寸法Ｄが、たとえば１０ｍｍ〜３５ｍｍ、または１０ｍｍ〜２８ｍｍの範囲にある。
【００４７】
図２の実施形態では、ブラシの包絡面Ｅの横断面が、中央領域で最大値を通過し、包絡面Ｅは全体が、切子面（ｆａｃｅｔ）を有するアメリカンフットボールのような一般的な球根形状である。
【００４８】
包絡面Ｅは、同一形状の複数の切子面２０を画定し、切子面２０は、例として、図示したように長手方向のストリップ２１により分離されており、前記長手方向のストリップ２１のそれぞれは、２つの隣接する切子面２０間で延びる。
【００４９】
図２に示すように、切子面２０は、ブラシ５の剛毛部の遠位端１３ａおよび近位端１３ｂまで軸方向に延びることができる。
【００５０】
切子面２０は、回転面である包絡面を有するブラシブランクを機械加工することにより形成されることができる。機械加工は、数値制御された機械により行われることができる。例として、図２に示すように長手方向軸Ｙに垂直な方向でブラシを見たときに全体的に外側に凸であり、図３に示すように長手方向軸Ｙに沿ってブラシを見たときに外側に凹である外形を、切子面に与えるように、機械加工が行われる。機械加工を２段階で行うこともでき、すなわち、円筒形から開始してブランクを卵型にし、その後、卵型ブランクを切り整えて切子面を生成する。このように切り整えられた切子面は平面ではない。
【００５１】
前記切子面が長手方向のストリップ２１に接合する際に介する縁部２４間で測定された切子面２０の幅ｌ２は、たとえば包絡面Ｅが最大横断面を呈する点で最大値を通過するブラシ５の長手方向軸Ｙに沿って変化し得る。例として、図示したように、１つの切子面２０に接する縁部２４は、切子面を上から見たときに互いに向かって凹である２つの曲線である。縁部２４から芯までの距離は、芯の軸に沿って変化する。
【００５２】
長手方向のストリップ２１の幅ｌ１は、剛毛部の端部１３ａと端部１３ｂとの間で変化する。例として、幅ｌ１は、包絡面Ｅの横断面が最大である点で最大である。
【００５３】
図４では、包絡面Ｅから軸Ｙまでの距離が横断面内において、最大値ｄｍａｘと最小値ｄｍｉｎとの間で変化することがわかる。図２〜図４の実施形態では、長手方向のストリップ２１がｄｍａｘに達し、切子面２０の中央でｄｍｉｎに達する。
【００５４】
各縁部２４は、芯の長手方向軸を含む単一面に延びる。そのような面Ｋが図４に示される。
【００５５】
包絡面Ｅの横断面が最大である点で、比率｜ｄｍａｘ−ｄｍｉｎ｜／ｄｍｉｎが、たとえば０．１〜３、または０．１〜５の範囲にある。例として、包絡面Ｅが剛毛部に沿った中間で横断面最大値を通過するブラシについて、ｄｍａｘは８に等しく、ｄｍｉｎは３．５に等しい。
【００５６】
図２〜図４の実施形態において、ブラシは、同数の長手方向のストリップ２１により分離された４個の切子面２０を呈する。
【００５７】
これらの図では、ブラシの横断面が最大である点において、すなわち変化部分に沿った中間において、縁部２４から芯の長手方向軸Ｙまでの距離も最大であることがわかる。
【００５８】
切子面の数が異なっていても本発明の範囲を超えないが、とはいえ切子面の数は３以上さらには２以上である。
【００５９】
図５および図６の実施形態において、ブラシは、これにより、３つの長手方向のストリップ２１により分離された３つの切子面２０を備える。
【００６０】
図７および図８の実施形態では、切子面２０の数が６であり、前記切子面が連続し、縁部２４を介してともに接続される。しかしながら、例として、図示したように、切子面２０は、横断面が外側に凹である外形を有する。
【００６１】
たとえば、ブラシの剛毛部の端部と横断面が最大である点との間で、包絡面Ｅの最大横寸法が、たとえば図３、図６、または図８に見られるように、２以上の倍数で変化する。
【００６２】
図９、図１１、および図１３に見られるように、剛毛部は、変化部分に対応する中間部５ａを備えることができる。前記部分は、複数の切子面２０を呈することができ、中間部５ａの包絡面Ｅは、ブラシの剛毛部の包絡面Ｅの横断面の極値、具体的には、これらの図における実施形態の最小値を定義することができる。
【００６３】
切子面２０は、図示したように、それぞれの切子面２０ｂ、２０ｃとともに角柱形状を呈することのできる遠位部５ｂおよび近位部５ｃに接続される。切子面２０ｂ、２０ｃの各々は、中間部５ａの切子面２０の延長部分に位置し、平面であり得るが、切子面２０は平面ではない。
【００６４】
図９の実施形態では、ブラシ５の包絡面Ｅの横断面は、同一の横断面形状、すなわち図示した実施形態では正方形を保ちつつ、遠位部５ｂにわたってステム４に向かって増加し、その後減少し、中間部５ａに沿ったほぼ中間で最小値を通過し、前記横断面が剛毛部の近位端１３ｂに向かって減少する点である近位部５ｃに到達するまで再び増加する。切子面２０ｂ、２０は、ともに接続され、多角形、特に正方形の側部として配置された縁部２７を、芯の長手方向軸に垂直な共通面において形成することができる。切子面２０、２０ｃは、多角形、特に正方形の側部として同様に配置された縁部２８を介して、ともに接続されることもできる。
【００６５】
図９および図１０の実施形態において、切子面２０は連続しており、軸Ｙに沿って変化する軸Ｙまでの距離を呈する縁部２４を介してともに接続される。
【００６６】
図１０、図１２、または図１４に示すように、切子面２０は、軸Ｙに沿って見たときに直線である外形を有することができる。
【００６７】
図９、図１１、および図１３において、変化部分に沿った中間の、ブラシの横断面が最小である点で、縁部２４から長手方向軸Ｙまでの距離も局所的な最小値を通過することがわかる。
【００６８】
図１５Ａは、横断面において、外側に凸の外形を呈する切子面２０の可能性を示し、たとえば、ブラシが製造される円筒形ブランクの包絡面Ｅｉの曲率半径よりも大きい曲率半径を有する。
【００６９】
図１５Ｂは、横断面において、直線の外形を呈する切子面２０の可能性を示し、切子面２０の各々の最大幅ｌ２は、たとえば、切子面２０の接合部に形成された縁部２４が、ブラシの長さに沿った少なくとも１つの点で、ブラシを製造するのに役立つブランクの包絡面Ｅｉの一部を形成するようになっている。
【００７０】
図１５Ｃは、すべてが同一形状というわけではない切子面２０を呈するブラシ５の可能性を示し、たとえば、横断面において、直線である外形と凹である外形の切子面２０を交互に有する。また、図１５Ｃは、同一形状の少なくとも２つの切子面を呈するブラシ５の可能性を示し、前記少なくとも２つの切子面は互いに直径方向に反対に位置する。
【００７１】
図１６Ａ〜図１６Ｃは、軸Ｙに沿った縦断面における包絡面Ｅの様々な形状を示し、ブラシ５の各々は、たとえば前述した実施形態で示すものと同一形状の切子面を含む、３以上の任意の数の切子面を受容することができる。切子面は、任意選択として、長手方向のストリップ２１により分離され得る。
【００７２】
図１６Ａの実施形態において、包絡面Ｅは水滴の形状を呈し、図１６Ｂの実施形態において、包絡面Ｅは魚の形状を呈し、図１６Ｃの実施形態において、包絡面Ｅはボールの形状を呈する。
【００７３】
適切であれば、芯１１は、図１８に示されるように、ステム４の出口で曲げられることができ、それによって、剛毛を担持する芯の部分の直線の長手方向軸が、ステム４の長手方向軸Ｘとゼロでない角度αを形成する。例として、角度αは１°〜２０°の範囲にある。
【００７４】
容器２を様々な形状とすることができ、ブラシ５が容器の内面２ａ付近に位置するが、ブラシ５が容器から取り外されるか、または容器に挿入されるように、容器２を製造することができる。
【００７５】
図１９は、内側シースが組成物と接触する容器の内面２ａを画定する二重シースを有する容器２を製造する可能性を示す。内面２ａは、ブラシが容器内へ移動するときに沿う行程の主な部分にわたって円筒形であり得る。ブラシおよび容器を、米国特許出願第２０１１／００３０７１８Ａ１号の教示に従って製造することができる。
【００７６】
図１７は、包絡面の様々な切子面を画定する剛毛に特別な処理を行う一方、切子面に位置しない剛毛の端部にはおそらく処理を行わないか、または異なる処理を行う可能性を示す。
【００７７】
このため、ブラシ５は第１に、第１の外観を呈する端部を持つ剛毛を有する切子面２０を呈し、そして第２に、異なる外観を呈する端部を持つ剛毛を有する、切子面２０間の長手方向のストリップ２１を呈することができる。
【００７８】
例として、長手方向のストリップ２１の一部を形成する剛毛の端部は熱処理にされられ、剛毛の端部にビードを形成し、切子面２０を画定する剛毛の端部には特別な処理を行わないようにしてもよく、またはその逆でもよい。
【００７９】
本発明は、図示した実施形態に限定されない。特に、図示した様々な実施形態の特徴を互いに組み合わせて、図示しない変形形態を形成してもよい。
【００８０】
剛毛は、静菌特性を有する材料および／または滑りやすい材料および／または磁性材料を含むことができる。
【００８１】
本発明により製造された実施形態のいずれかにおいて、剛毛の混合物を使用することができる。例として、剛毛を様々な材料から製造することができる。剛毛に、米国特許第７１２５１８８号明細書に記載された処理を行ってもよい。
【００８２】
図示した実施形態は、芯がねじれたブラシに関連するが、本発明は、同一材料または異なる材料から、剛毛が芯とともに成形された射出成形ブラシにも当てはまる。
【００８３】
「ｃｏｍｐｒｉｓｉｎｇ（備える）」という表現は、特に逆の記載がない限り、「少なくとも１つを備える」と同義であるものと理解すべきである。
【符号の説明】
【００８４】
１  アプリケータデバイス
２  容器
２ａ  内面
２ｂ  本体
３  アプリケータ
４  ステム
５  ブラシ
５ａ  中間部
５ｂ  遠位部
５ｃ  近位部
６  ハンドル
７  ネック
８  ワイパ部材
９  リップ
１０  中間要素
１１  芯
１１ａ  近位部
１１ｂ  剛毛部
１３ａ  遠位端
１３ｂ  近位端
２０、２０ｂ、２０ｃ  切子面
２１  長手方向のストリップ
２４、２７、２８  縁部
３２  剛毛
Ｄ  最大横寸法
Ｅ  包絡面
Ｅｉ  包絡面
Ｋ  面
ｌ１、ｌ２  幅
Ｌｍａｘ  全長
Ｐ  組成物
Ｘ、Ｙ  長手方向軸
ｄｍａｘ  最大値
ｄｍｉｎ  最小値
α  角度
【図１】
2014510604.tif 000003
【図２】
2014510604.tif 000004
【図３】
2014510604.tif 000005
【図４】
2014510604.tif 000006
【図５】
2014510604.tif 000007
【図６】
2014510604.tif 000008
【図７】
2014510604.tif 000009
【図８】
2014510604.tif 000010
【図９】
2014510604.tif 000011
【図１０】
2014510604.tif 000012
【図１１】
2014510604.tif 000013
【図１２】
2014510604.tif 000014
【図１３】
2014510604.tif 000015
【図１４】
2014510604.tif 000016
【図１５Ａ】
2014510604.tif 000017
【図１５Ｂ】
2014510604.tif 000018
【図１５Ｃ】
2014510604.tif 000019
【図１６Ａ】
2014510604.tif 000020
【図１６Ｂ】
2014510604.tif 000021
【図１６Ｃ】
2014510604.tif 000022
【図１７】
2014510604.tif 000023
【図１８】
2014510604.tif 000024
【図１９】
2014510604.tif 000025
【国際調査報告】
2014510604.tif 000026
2014510604.tif 000027